(57)【要約】【課題】本発明は、構造が簡単で、何らかの力が注射剤容器保持具に加わってもテーブル等から滑り落ちることがなく、また、注射剤容器保持具が転倒するおそれがなく、さらに注射剤容器の着脱が容易な注射剤容器保持具を提供することを目的とする。【解決手段】本発明に係る注射剤容器保持具は、医療用アンプル保持具Ａを例とすれば、アンプル保持台１０と、当該アンプル保持台１０を設置する基台２０とから構成され、アンプル保持台１０は、アンプルＢの胴部を受ける背もたれ板１１と、背もたれ板１１の下端から屈曲して連結したアンプルＢの底面を受ける受け板１５とから構成され、背もたれ板１１において、アンプルＢの胴部を受ける背もたれ板１１の正面には、表裏に粘着性を有する第１粘着マット１２が貼付されていることを特徴とする。【選択図】        図６
2017060560.tif 000002
【特許請求の範囲】
【請求項１】
注射剤容器保持台と、当該注射剤容器保持台を設置する基台とから構成され、
前記注射剤容器保持台は、注射剤を収容する筒状の胴部を受ける背もたれ板と、前記背もたれ板の下端から屈曲して連結した注射剤容器の底面を受ける受け板とから構成され、
前記背もたれ板において、注射剤容器の胴部を受ける背もたれ板の正面には、表裏に粘着性を有する第１粘着マットが貼付されている
ことを特徴とする注射剤容器保持具。
【請求項２】
前記背もたれ板の縦長さが注射剤容器の胴部の長さより短い
ことを特徴とする請求項１に記載の注射剤容器保持具。
【請求項３】
前記受け板において、注射剤容器の底面を受ける受け板の上面には、表裏に粘着性を有する第２粘着マットが貼付されて、前記第１粘着マットの表面と前記第２粘着マットの表面とが直交するように構成されている
ことを特徴とする請求項１又は２に記載の注射剤容器保持具。
【請求項４】
前記基台の下面には、表裏に粘着性を有する第３粘着マットが貼付されている
ことを特徴とする請求項１〜３のいずれか１項に記載の注射剤容器保持具。
【請求項５】
前記背もたれ板の背面と前記基台の上面との間に弾性構造が介在し、
前記弾性構造により基台に対して注射剤容器保持台が揺動可能になっており、
前記弾性構造により背もたれ板が起立する方向に付勢するように構成されている
ことを特徴とする請求項１〜４のいずれか１項に記載の注射剤容器保持具。
【請求項６】
前記弾性構造が合成樹脂製の弾力性発泡体である
ことを特徴とする請求項５に記載の注射剤容器保持具。
【請求項７】
前記弾性構造が、
前記注射剤容器保持台の前記背もたれ板の背面に設けた第１軸受け部と、
前記基台の上面に設けた前記第１軸受け部に対応する第２軸受け部と、
前記第１軸受け部と前記第２軸受け部とを連結するシャフトと、
前記シャフトに取り付けられ、一端が背もたれ板の背面に接し、他端が基台の上面に接するバネ部材とから構成されている
ことを特徴とする請求項５に記載の注射剤容器保持具。
【請求項８】
前記バネ部材の一端が接する前記背もたれ板の背面には、前記バネ部材の一端がスライドする第１ガイド溝が形成され、
前記バネ部材の他端が接する基台の上面には、前記バネ部材の他端がスライドする第２ガイド溝が形成されている
ことを特徴とする請求項７に記載の注射剤容器保持具。
【請求項９】
前記基台の上面には、前記受け板の下面に接する凸部が設けられ、
前記弾性構造と前記凸部とで前記注射剤容器保持台が挟まれるように構成することにより、前記注射剤容器保持台の前記背もたれ板を傾斜状態で前記基台に設置させる
ことを特徴とする請求項５〜８のいずれか１項に記載の注射剤容器保持具。
【請求項１０】
全体が合成樹脂で形成されている
ことを特徴とする請求項１〜９のいずれか１項に記載の注射剤容器保持具。
【請求項１１】
第１粘着マットには、注射剤容器の胴部を受ける凹部が形成されている
ことを特徴とする請求項１〜１０のいずれか１項に記載の注射剤容器保持具。
【請求項１２】
第１粘着マット及び第２粘着マットは、注射剤容器を粘着する面の粘着力が注射剤容器保持台に粘着される面の粘着力より弱い弱粘着性である
ことを特徴とする請求項１〜１１のいずれか１項に記載の注射剤容器保持具。
【請求項１３】
第３粘着マットは、基台に粘着される面の粘着力より基台に粘着されない面の粘着力が弱い弱粘着性である
ことを特徴とする請求項１〜１２のいずれか１項に記載の注射剤容器保持具。
【請求項１４】
前記基台の表面に患者名や薬剤名等の特定事項を記載する記載欄を設けた
ことを特徴とする請求項１〜１３のいずれか１項に記載の注射剤容器保持具。
【発明の詳細な説明】
【技術分野】
【０００１】
本発明は、注射液等の液状薬品を収容する注射剤容器の保持具に関し、特に複数の注射剤容器を保持できると共に注射剤容器を容易に取り外すことができ、かつ、注射剤容器を保持した状態で注射液を注射器により吸引することが可能な注射剤容器保持具に関する。
【背景技術】
【０００２】
注射液を収容した注射剤容器、例えばアンプル（円筒状の胴部と当該胴部より径小の首部を介して連接された頭部とからなる医療用のアンプル）やバイアル（筒状容器の口部にゴム栓をし、アルミニウム等で巻いたもの）は、病院や診療所において多用されており、この注射剤容器は、ガラス製であってその胴部が転がりやすい円筒状をなすものが多いため、落下による破損や、特にアンプルの場合にはアンプルカット後の転倒による注射液の流出の発生が少なくなく、そのため、医療作業の能率低下、薬剤管理事務の煩雑さ、及び、注射液流出による経済的損失等が問題となっている。
【０００３】
そこで、下記特許文献１に示されるアンプル保持器が提案された。当該アンプル保持器は、複数のアンプルを同時に保持し、保持した状態でアンプルカットを行う機能、及び該保持器を置いた状態でも手に持った状態でも薬液吸引作業を効率的に安全に行うことができる機能を有することを目的とし、アンプル又はアンプル保持補助器を保持する保持部を有し、アンプル又はアンプル保持補助器を保持したときにアンプルのワンポイントカットマークを超えない高さの背もたれ板と、アンプル又はアンプル保持補助器を載置可能な底板と、背もたれ板背面において突設された支え板とを備えたものである。
【先行技術文献】
【特許文献】
【０００４】
【特許文献１】特開２００３−３０５１０６号公報
【発明の概要】
【発明が解決しようとする課題】
【０００５】
しかしながら、上記特許文献１に示されるアンプル保持器は、背もたれ板が倒れないように支え板により背もたれ板を支持し、底板がぐらつかないように底板と床面との隙間に底板保持補助具を設けた構造であり、当該アンプル保持器が載置される例えばテーブルなどに対してアンプル保持器を固定する構造のものではないため、何らかの力がアンプル保持器に加わることにより、アンプル保持器がテーブルから滑り落ちたり、アンプル保持器が転倒してアンプルが散乱したり、破損する問題があった。また、上記特許文献１に記載のアンプル保持器は、上記の問題があるにも拘わらず、アンプルがアンプル保持器から転倒しないための構造が複雑であり、部品点数も多く製造コストが高くつくものであった。
【０００６】
そこで、本発明者は、鋭意研究を重ね、構造が簡単で、何らかの力が注射剤容器保持具に加わってもテーブル等から滑り落ちることがなく、また、注射剤容器保持具が転倒するおそれがない上に、注射剤容器の着脱が容易な注射剤容器保持具を開発した。
【課題を解決するための手段】
【０００７】
本発明に係る注射剤容器保持具（以下、単に「保持具」という。）は、注射剤容器保持台と、当該注射剤容器保持台を設置する基台とから構成され、  前記注射剤容器保持台は、注射剤を収容する筒状の胴部を受ける背もたれ板と、前記背もたれ板の下端から屈曲して連結した注射剤容器の底面を受ける受け板とから構成され、前記背もたれ板において、注射剤容器の胴部を受ける背もたれ板の正面には、表裏に粘着性を有する第１粘着マットが貼付されていることを特徴とする。なお、前記構成において、前記背もたれ板の縦長さがアンプルの胴部の長さより短いことが好ましい。また、注射剤容器には、例えば円筒状の胴部と当該胴部より径小の首部を介して連接された頭部とからなる医療用のアンプルや筒状容器の口部にゴム栓をし、アルミニウム等で巻いたバイアルが含まれる。
【０００８】
上記のように構成したことにより、背もたれ板に貼付された第１粘着マットにより注射剤容器の胴部を保持具に粘着させて固定でき、また、保持具から注射剤容器を容易に取り外すことができる。
【０００９】
また、本発明に係る保持具は、前記の構成に加え、前記受け板において、注射剤容器の底面を受ける受け板の上面には、表裏に粘着性を有する第２粘着マットが貼付されて、前記第１粘着マットの表面と前記第２粘着マットの表面とが直交するように構成してもよい。
【００１０】
上記のように構成すると、受け板に貼付された第２粘着マットにより注射剤容器の底面を保持具に粘着させて固定できるので、注射剤容器の安定性が増大する。
【００１１】
さらに、本発明に係る保持具は、前記の各構成に加え、前記基台の下面には、表裏に粘着性を有する第３粘着マットが貼付されている構成してもよい。
【００１２】
上記のように構成すると、基台の下面に貼付した第３粘着マットにより、テーブルなどの表面に保持具を粘着させて保持具を容易に固定することができ、また、必要に応じて保持具を容易に取り外すことができる。なお、第３粘着マットは、基台下面全面に貼付する構成としてもよく、基台下面に部分的に貼付する構成としてもよい。例えば、基台下面の四隅に貼付した構成としてもよく、また、基台下面に格子状に貼付した構成としてもよく、さらに基台下面の周縁に貼付した構成としてもよい。
【００１３】
なお、上記の本発明において使用する各粘着マットとしては、出願人取扱いの商品名「プロセブン耐震マット」が最も最適である。商品名「プロセブン耐震マット」は、高い反発弾性により振動吸収性に優れたウレタンエラストマー製であり、粘着マットの表裏両面は粘着性を有しており、その粘着性は、引き剥がそうとする力が急激に働いた場合、例えば、衝突による衝撃や地震などの震動により保持具に急激な力が加わって、保持具が揺れ動いたり、跳ね上がろうとした場合に、テーブル等の表面から保持具が離れようとする作用に対しては強い粘着力を発揮して引き剥がれないように働く。逆に当該粘着マットに対して引き剥がそうとする力が緩やかに働いた場合には徐々に引き剥がれる剥離性能を有している。
【００１４】
さらにまた、本発明に係る保持具は、前記の各構成に加え、前記背もたれ板の背面と前記基台の上面との間に弾性構造が介在し、前記弾性構造により基台に対して注射剤容器保持台が揺動可能になっており、前記弾性構造により背もたれ板が起立する方向に付勢するように構成してもよい。当該弾性構造としては、合成樹脂製の弾力性発泡体を使用してもよく、また、前記注射剤容器保持台の前記背もたれ板の背面に設けた第１軸受け部と、前記基台の上面に設けた前記第１軸受け部に対応する第２軸受け部と、前記第１軸受け部と前記第２軸受け部とを連結するシャフトと、前記シャフトに取り付けられ、一端が背もたれ板の背面に接し、他端が基台の上面に接するバネ部材とから構成されている弾性構造を採用してもよい。
【００１５】
上記のように構成すると、基台に対して注射剤容器保持台の設置角度を容易に変化させることができるので、注射器による注射剤容器内の注射液の吸引作業や特に医療用アンプルにおけるアンプルカットの作業がやりやすくなる利点がある。
【００１６】
また、本発明に係る保持具は、前記の構成に加え、前記バネ部材の一端が接する前記背もたれ板の背面には、前記バネ部材の一端がスライドする第１ガイド溝が形成され、前記バネ部材の他端が接する基台の上面には、前記バネ部材の他端がスライドする第２ガイド溝が形成されている構成としてもよい。
【００１７】
上記のように構成すると、バネ部材の一端が第１ガイド溝に沿って、また、バネ部材の他端が第２ガイド溝に沿って、それぞれ確実にスライドするので、前記アンプル保持台の傾斜角度を変化させるために外力を加えた場合に前記注射剤容器保持台がスムーズに揺動して傾斜角度を変化させることができる。
【００１８】
また、本発明に係る保持具は、前記の各構成に加え、前記基台の上面には、前記受け板の下面に接する凸部が設けられ、前記弾性構造と前記凸部とで前記注射剤容器保持台が挟まれるように構成することにより、前記注射剤容器保持台の前記背もたれ板を傾斜状態で前記基台に設置させる構成としてもよい。
【００１９】
上記のように構成すると、前記注射剤容器保持台に外力を加えれば前記弾性構造により前記注射剤容器保持台が揺動可能な状態であるとしても、前記注射剤容器保持台に外力を加えなければ、前記基台の上面の凸部が前記受け板の下面に接している状態で前記弾性構造により押圧されているので、注射剤容器保持台が不必要に動くことがなく安定した姿勢を維持することができる。
【００２０】
さらにまた、本発明に係る保持具は、前記の各構成に加え、全体が合成樹脂で形成されている構成としてもよい。このように構成した場合には、分解することなくその全体を廃棄することができる。
【００２１】
さらにまた、本発明に係る保持具は、前記の各構成に加え、第１粘着マットには、注射剤容器の胴部を受ける凹部が形成されている構成としてもよい。このように構成すると、注射剤容器の胴部と第１粘着マットとが複数の線接触又は面接触になるので、注射剤容器に対する粘着性がさらに安定する。
【００２２】
また、本発明に係る保持具は、前記の各構成に加え、第１粘着マット及び第２粘着マットは、注射剤容器を粘着する面の粘着力が注射剤容器保持台に粘着される面の粘着力より弱い弱粘着性である構成としてもよい。このように構成すると、注射剤容器保持台から注射剤容器を取り外す際に、第１粘着マット及び第２粘着マットが注射剤容器保持台から剥がれるおそれがなく、かつ、注射剤容器を注射剤容器保持台からスムーズに取り外すことができる。
【００２３】
さらに、本発明に係る保持具は、前記の各構成に加え、第３粘着マットは、基台に粘着される面の粘着力より基台に粘着されない面の粘着力が弱い弱粘着性である構成としてもよい。このように構成すると、テーブル等の載置台から保持具を取り外す際に、保持具から第３粘着マットが剥がれて載置台上に第３粘着マットが残ってしまうようなおそれがなく、載置台上からスムーズに保持具を取り外すことができる。
【００２４】
さらにまた、本発明に係る保持具は、前記の各構成に加え、前記基台の表面に患者名や薬剤名等の特定事項を記載する記載欄を設けた構成としてもよい。このように構成すると、薬剤名と当該薬剤を投与する患者名とが即座に確認できる。
【発明の効果】
【００２５】
以上のように、本発明に係る保持具は、上記のように構成されているので、構造が簡単で、何らかの力が保持具に加わってもテーブル等から滑り落ちることがなく、また、保持具が転倒するおそれがなく、さらに注射剤容器の着脱が容易で利便性が高い保持具である。
【図面の簡単な説明】
【００２６】
【図１】本発明の実施例１に係る保持具を正面上方から見た斜視図である。
【図２】本発明の実施例１に係る保持具の分解斜視図である。
【図３】本発明の実施例１に係る保持具の基台を下方から見た分解斜視図である。
【図４】本発明の実施例１に係る保持具を背面上方から見た斜視図である。
【図５】本発明の実施例１に係る保持具を下方から見た斜視図である。
【図６】本発明の実施例１に係る保持具にアンプルを保持させた状態の斜視図である。
【図７】本発明の実施例１に係る保持具の傾斜角度を変化させた斜視図である。
【図８】本発明の実施例２に係る保持具であって、第３粘着マットの形態の変更例であり、保持具の基台を下方から見た分解斜視図である。
【図９】本発明の実施例３に係る保持具であって、弾性構造の変更例であり、保持具を背面上方から見た斜視図である。
【発明を実施するための形態】
【００２７】
以下に本発明の好適な実施例を添付の図面に基づいて詳細に説明する。なお、本実施例においては、特に医療用アンプルについて説明するが、バイアルに対しても適用できるものである。
【実施例１】
【００２８】
図１において、Ａは本実施例に係る保持具を示し、１０はアンプル保持台、２０はアンプル保持台１０を設置する基台である。
【００２９】
前記アンプル保持台１０は、図２の分解図に示すように、背もたれ板１１と、その下端から屈曲して連結した受け板１５とから構成されている。当該アンプル保持台１０は、図６に示すように、アンプルＢの保持を目的とし、背もたれ板１１においてアンプルＢの胴部を受け、受け板１５においてアンプルＢの底面を受ける。アンプルＢは、ガラス製であって、液状薬品を収容するための通常円筒状の胴部と、この胴部に、当該胴部より径小のくびれた状態の首部を介して連接された頭部１２とから構成される。
【００３０】
そして、前記背もたれ板１１は、その正面に、表裏に粘着性を有する第１粘着マット１２が貼付されており、前記受け板１５は、その上面に、表裏に粘着性を有する第２粘着マット１６が貼付されており、前記第１粘着マット１２の表面と前記第２粘着マット１６の表面とが直交する構成、すなわちＬ字状をなす構成となっている。
【００３１】
しかも、前記第１粘着マット１２には、その縦の長さ方向にアンプルＢの胴部を受ける凹部１３が形成されており、アンプルＢが保持しやすくなっている。すなわち、凹部１３をが形成されていることにより、アンプルＢの胴部が１本の線接触ではなく、複数の線接触となるためアンプルＢの第１粘着マット１２に対する粘着がさらに安定し、保持性能が向上する。なお、本実施例においては前記の凹部を断面角型に形成しているが、これに限られるものではなく断面半円状等の曲線に形成して凹部の粘着面が曲面になるように構成してもよく、その場合には第１粘着マットはアンプルＢと面接触となる。
【００３２】
また、前記第１粘着マット１２は、その表裏において粘着性の強弱が異なるものが使用されており、粘着性の高い方の粘着面が背もたれ板１１の正面に粘着され、粘着性が弱い方の粘着面がアンプルＢの胴部を粘着する側となるように構成されている。
【００３３】
第２粘着マット１６も同様に、その表裏において粘着性の強弱が異なるものが使用されており、粘着性の高い方の粘着面が受け板１５の上面に粘着され、粘着性が弱い方の粘着面がアンプルＢの底面を粘着する側となるように構成されている。
【００３４】
以上のアンプル保持台１０の構成により、アンプル保持台１０に載置されたアンプルＢは、その胴部が第１粘着マット１２に粘着して固定され、その底面が第２粘着マット１６に粘着して固定されることになる。したがって、アンプル保持台１０に載置されたアンプルＢは安定した固定状態となる。
【００３５】
また、アンプル保持台１０の背もたれ板１１に粘着した第１粘着マット１２の粘着面に対してアンプルＢは線接触であり、また、受け板１５に粘着した第２粘着マット１６に対するアンプルＢの粘着面積が小さいため、アンプル保持台１０からアンプルＢを容易に取り外すことができる。
【００３６】
さらに、前記第１粘着マット１２は、その表裏において粘着性の強弱が異なるものが使用されており、粘着性の高い方の粘着面が背もたれ板１１の正面に粘着され、粘着性が弱い方の粘着面がアンプルＢの胴部を粘着する側となるように構成し、第２粘着マット１６も同様に、その表裏において粘着性の強弱が異なるものが使用されており、粘着性の高い方の粘着面が受け板１５の上面に粘着され、粘着性が弱い方の粘着面がアンプルＢの底面を粘着する側となるように構成しているので、アンプル保持台１０からアンプルＢを取り外す際に、第１粘着マット及び第２粘着マットがアンプル保持台１０から剥がれるおそれがなく、かつ、アンプルＢをアンプル保持台１０からスムーズに取り外すことができる。
【００３７】
図１〜図３に示す基台２０は、その下面に表裏に粘着性を有する第３粘着マット２２が貼付されている。すなわち、基台２０の下面４隅にそれぞれ矩形凹部２１が形成されており、これら矩形凹部２１のそれぞれに当該矩形凹部２１の形状に合わせた第３粘着マット２２が嵌め込まれて、基台２０の下面に第３粘着マット２２が貼付されるようになっている。当該第３粘着マット２２は、その表裏において粘着性の強弱が異なるものが使用されており、粘着性の高い方の粘着面が基台２０の下面に粘着され、粘着性が弱い方の粘着面がテーブル等の載置台の表面に粘着する側となるように構成する。なお、基台２０の下面に形成する凹部は基台２０の下面の４隅に限られるものではなく、またその形状も矩形に限られるものではない。
【００３８】
このように構成したことにより、基台２０の下面に貼付した第３粘着マット２２により、テーブルなどの表面に保持具Ａを粘着させて保持具Ａを容易に固定することができ、また、必要に応じて保持具Ａをテーブル等からスムーズに取り外すことができる。また、保持具Ａの取り外しの際、第３粘着マット２２が保持具Ａから剥がれてテーブル等に残るようなことがない。
【００３９】
次に、本実施例における弾性構造について説明する。
【００４０】
本実施例においては、図２に示すように、アンプル保持台１０の背もたれ板１１の背面には、左右１対の第１軸受け部１７，１８が設けられている。当該第１軸受け部１７，１８は半円状に突出した形状をなしており、それぞれの第１軸受け部１７，１８には軸受け穴１７ａ，１８ａが形成されている。
【００４１】
一方、基台２０には、その上面に前記第１軸受け部１７，１８に対応する左右１対の第２軸受け部２３，２４が設けられており、第２軸受け部２３，２４同士の内側の間隔は、前記第１軸受け部１７，１８同士の外側の間隔より大きく設計されており、第２軸受け部２３，２４の間に第１軸受け部１７，１８が嵌まり込むようになっている。これら第２軸受け部２３，２４は半円状に突出した形状をなしており、それぞれの第１軸受け部２３，２４には、第１軸受け部１７，１８における軸受け穴１７ａ，１８ａと内径が同一の軸受け穴２３ａ，２４ａが形成されている。
【００４２】
図２に示す３０はシャフトであり、当該シャフト３０は前記軸受け穴１７ａ，１８ａ及び軸受け穴２３ａ，２４ａの内径とほぼ同一の外径であって、当該シャフト３０は前記軸受け穴１７ａ，１８ａに挿通され、また、軸受け穴２３ａ，２４ａに嵌まり込むようになっている。そして、シャフト３０により前記軸受け穴１７ａ，１８ａ及び軸受け穴２３ａ，２４ａを連結することにより、アンプル保持台１０と基台２０とが連結され、基台２０に対しシャフト３０を軸にしてアンプル保持台１０が揺動するように設計されている。
【００４３】
図２に示す４０は細幅の板バネよりなるバネ部材であり、当該バネ部材４０はその中央に円環部４１が設けられており、円環部４１にはシャフト３０が挿通できる内径の貫通穴４２が形成されている。
【００４４】
以上が本実施例における弾性構造であり、バネ部材４０により背もたれ板１１が起立する方向に付勢されるので、背もたれ板１１を押し下げ等による外力で負荷をかけて押し下げることができ、押し下げた状態から外力を取り除けば背もたれ板１１は元の状態に戻ることになる。
【００４５】
また、アンプル保持台１０の背もたれ板１１の背面中央には、バネ部材４０が嵌まり込む細幅の第１ガイド溝１９が上下方向に形成されており、基台２０の上面中央にはバネ部材４０が嵌まり込む細幅の第２ガイド溝２５が水平方向に形成されている。
【００４６】
さらに、基台２０の上面中央の幅方向には、第２軸受け部２３，２４から見て第２ガイド溝２５とは逆の側に、受け板１５の下面を受ける凸部２６が設けられている。
【００４７】
上記のように構成したことにより、上記したアンプル保持台１０と基台２０とは次のように組み立てて保持具Ａが完成する。
【００４８】
まず、基台２０の第２軸受け部２３，２４の間に第１軸受け部１７，１８を嵌め込むと共に基台２０上面の凸部２６がアンプル保持台１０の受け板１５の下面上に位置するようにして基台２０にアンプル保持台１０を取り付ける。次にシャフト３０を第２軸受け部２３と第１軸受け部１７とのそれぞれの軸受け穴２３ａと軸受け穴１７ａとに挿通し、その挿通したシャフト３０の先端側からバネ部材４０の貫通穴４２にシャフト３０を挿通することによりシャフト３０にバネ部材４０を取り付ける。最後にその挿通したシャフト３０の先端側からシャフト３０を第１軸受け部１８と第２軸受け部２４とのそれぞれの軸受け穴１８ａと軸受け穴２４ａとに挿通し、その際、バネ部材４０の一端を第１ガイド溝１９に嵌め込み、バネ部材４０の他端を第２ガイド溝２５に嵌め込み、背もたれ板１１が起立する方向に付勢するように構成して、基台２０にアンプル保持台１０を連結する。
【００４９】
このように組み立てることにより、バネ部材４０と凸部２６とでアンプル保持台１０が挟まれるように構成され、その傾斜状態が維持される。また、バネ部材４０の一端が第１ガイド溝１９に沿って、また、バネ部材４０の他端が第２ガイド溝２５に沿って、それぞれ確実にスライドするので、アンプル保持台１０の傾斜角度を変化させるために外力を加えた場合にアンプル保持台１０がスムーズに揺動してアンプル保持台１０の傾斜角度を容易に変化させることができる。
【００５０】
そして、アンプル保持台１０の受け板１５の上面に第２粘着マット１６の粘着性が高い方の粘着面を貼付し、アンプル保持台１０の背もたれ板１１に第１粘着マット１２の粘着性が高い方の粘着面を貼付する。また、基台２０の下面に形成されている３個所の矩形凹部２１のそれぞれに第３粘着マット２２の粘着性が高い方の粘着面を貼付する。これにより図１、図４及び図５に示す保持具Ａが完成する。
【００５１】
上記のように構成したことにより、本実施例に係る保持具Ａは、基台２０に対してアンプル保持台１０を必要に応じて適当な角度に傾斜させることができ、また傾斜させたアンプル保持台１０はバネ部材４０により元の姿勢に戻るようになっている。図６はアンプルＢを保持具Ａに粘着させた状態を示し、図７は図６に示す通常の傾斜状態から必要に応じて傾斜させた状態を示す。このように基台２０に対してアンプル保持台１０の傾斜角度を容易に変化させることができるので、注射器によるアンプル内の注射液の吸引作業やアンプルカットの作業がやりやすくなる利点がある。一方、基台２０に対してアンプル保持台１０が揺動可能な状態であるとしても、前記したように基台２０の上面の凸部２６がアンプル保持台１０の受け板１５の下面に接している状態で、バネ部材４０によりアンプル保持台１０の背もたれ板１１が押圧されているので、アンプル保持台１０に外力を加えなければ、アンプル保持台１０が不必要に動くことがなく安定した姿勢を維持することができる。
【００５２】
また、図６に示すように、保持具Ａの基台２０の表面には、アンプル保持台１０に載置されるアンプルＢに対応して患者名や薬剤名等の特定事項を記載する記載欄５０が設けられている。記載内容及び記載欄の形式は任意である。このように記載欄５０を設けているので、薬剤名と当該薬剤を投与する患者名とが即座に確認できて便利である。
【００５３】
なお、本実施例においては、保持具Ａについて３個のアンプルＢを載置できるものを例示したが、これに限られるものではなく、アンプルが小型であれば３個以上のアンプルを載置できるように第１粘着マットにおける凹部の個数を増やしてもよく、また、保持具Ａのサイズについてもアンプルのサイズに合わせて小型のものから大型のものまで種々変更可能である。
【００５４】
また、本実施例においては第１粘着マット１２，第２粘着マット１６，第３粘着マット２２を含めて保持具Ａを構成する全ての部材が合成樹脂製である。そのため、保持具Ａを廃棄する際には、分解することなくプラスチックとして廃棄できる。
【００５５】
以上のように、本実施例に係る保持具Ａは、上記のように構成されているので、構造が簡単で、何らかの力が保持具Ａに加わってもテーブル等から滑り落ちることがなく、また、保持具Ａが転倒するおそれがなく、さらにアンプルこの着脱が容易で利便性が高いものである。
【実施例２】
【００５６】
本実施例は、実施例１の保持具Ａにおける第３粘着マット２２の変更例であり、その余の構成は実施例１の構成と同様であるので、説明を省略する。
【００５７】
図８に示す基台２０’には、その下面に表裏に粘着性を有する第３粘着マット２２’が貼付されている。すなわち、基台２０’の下面には３個所の矩形凹部２１’が形成されており、これら矩形凹部２１’のそれぞれに第３粘着マット２２’が嵌め込まれて、基台２０’の下面に第３粘着マット２２’が貼付されるようになっている。当該第３粘着マット２２’は、その表裏において粘着性の強弱が異なるものが使用されており、粘着性の高い方の粘着面が基台２０’の下面に粘着され、粘着性が弱い方の粘着面がテーブル等の載置台の表面に粘着する側となるように構成する。なお、基台２０’の下面に形成する凹部は３個所に限られるものではなく、またその形状も矩形に限られるものではない。
【００５８】
このように構成したことにより、基台２０’の下面に貼付した第３粘着マット２２’により、テーブルなどの表面に保持具を粘着させて保持具を容易に固定することができ、また、必要に応じて保持具をテーブル等から容易に取り外すことができる。また、保持具の取り外しの際、第３粘着マット２２’が保持具から剥がれてテーブル等に残るようなことがない。
【実施例３】
【００５９】
本実施例は、実施例１における弾性構造の変更例であり、その余の構成は実施例１の構成と同様であるので、説明を省略する。
【００６０】
本実施例における弾性構造は、図９に示すように、三角柱状の合成樹脂製の弾力性発泡体４０’、いわゆる合成樹脂製スポンジ体より構成され、当該弾力性発泡体４０’は、その３つの長方形の側面の１つの面がアンプル保持台１０’の背もたれ板１１’の背面下部に接着され、他の１つの長方形の側面が基台２０’’の上面に接着して固定されたものである。
【００６１】
以上が本実施例における弾性構造であり、弾力性発泡体４０’により背もたれ板１１’が起立する方向に付勢されるので、背もたれ板１１’を押し下げ等による外力で負荷をかけて押し下げることができ、押し下げた状態から外力を取り除けば背もたれ板１１’は元の状態に戻ることになる。
【００６２】
上記の弾性構造は、部品点数が少なく、製造が容易であるため製造コストを安価にすることができ、また、構造がシンプルであって呼称することがない利点がある。
【００６３】
以上、本発明の種々の実施形態を説明したが、この実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６４】
Ａ…………保持具
Ｂ…………アンプル（注射剤容器）
１０………アンプル保持台（注射剤容器保持台）
１１………背もたれ板
１２………第１粘着マット
１３………第１粘着マットの凹部
１５………受け板
１６………第２粘着マット
１７………第１軸受け部
１７ａ……軸受け穴
１８………第１軸受け部
１８ａ……軸受け穴
１９………第１ガイド溝
２０………基台
２１………矩形凹部
２２………第３粘着マット
２３………第２軸受け部
２３ａ……軸受け穴
２４………第２軸受け部
２４ａ……軸受け穴
２５………第２ガイド溝
２６………凸部
３０………シャフト
４０………バネ部材
４１………円環部
４２………貫通穴
５０………記載欄
２０’……基台
２１’……矩形凹部
２２’……第３粘着マット
１０’……アンプル保持台（注射剤容器保持台）
１１’……背もたれ板
２０’’…基台
４０’……弾力性発泡体
【図１】
2017060560.tif 000003
【図２】
2017060560.tif 000004
【図３】
2017060560.tif 000005
【図４】
2017060560.tif 000006
【図５】
2017060560.tif 000007
【図６】
2017060560.tif 000008
【図７】
2017060560.tif 000009
【図８】
2017060560.tif 000010
【図９】
2017060560.tif 000011